(57)【要約】【課題】落下等の外部からの衝撃力に対してバッテリー筐体の内部に収納したバッテリーセルを保護できるようにする。【解決手段】バッテリーセル２０と、このバッテリーセル２０を収納するバッテリー筐体２を備えている。バッテリーセル２０は、一端に開口部を有する筒状の負極部２２と、開口部を閉じるように負極部２２にかしめて固定される正極部２３と、を有している。更に、バッテリーセル２０とバッテリー筐体２の内壁との間で、且つバッテリーセル２０の正極部２３と負極部２２とがかしめられた箇所を避けて配置される突起３４を備えた。【選択図】図２
2010238649.tif 000002
【特許請求の範囲】
【請求項１】
中空のバッテリー筐体と、
一端に開口部を有する筒状の負極部と、前記開口部を閉じるように前記負極部に固定される正極部と、を有し、前記バッテリー筐体に収納されるバッテリーセルと、
前記バッテリーセルと前記バッテリー筐体の内壁との間で、且つ前記バッテリーセルの前記正極部と前記負極部とが固定された箇所を避けて配置される突起と、
を備えたバッテリー装置。
【請求項２】
前記バッテリーセルと前記突起との間には、略平板状に形成され、前記バッテリーセルと面接触する緩衝部が設けられている
請求項１に記載のバッテリー装置。
【請求項３】
前記突起は、前記緩衝部に設けられ、前記筐体の内壁に向けて突出している
請求項２に記載のバッテリー装置。
【請求項４】
前記緩衝部と前記バッテリー筐体の間には、弾性を有するクッション部材が設けられている
請求項２に記載のバッテリー装置。
【請求項５】
前記バッテリー筐体内には、前記バッテリーセルが複数収納され、
前記バッテリー筐体の空間を前記複数のバッテリーセルごとに仕切る仕切部を備え、
前記緩衝部は、前記仕切部と一体に形成されている
請求項２に記載のバッテリー装置。
【請求項６】
前記突起は、電子機器に装着した際に、前記バッテリー筐体における前記電子機器と接する面と対向する面側に配置されている
請求項１〜５のいずれかに記載のバッテリー装置。
【発明の詳細な説明】
【技術分野】
【０００１】
本発明は、撮像装置等の電子機器の電源として用いられるバッテリー装置に関し、特に、耐衝撃性能の向上を図ることができるバッテリー装置に関するものである。
【背景技術】
【０００２】
従来、パーソナルコンピュータや撮像装置等の電子機器における携帯用の電源装置としてバッテリー装置が用いられている。このバッテリー装置は、中空のバッテリー筐体と、バッテリー筐体内に収納されたバッテリーセルと、制御回路基板と、出力端子とから構成されている。
【０００３】
最近では、特に落下等の外部からの衝撃力に耐えることができるバッテリー装置が求められている。例えば、外部から入力される衝撃力によって制御回路基板が破損することを防止する技術が提案されている（特許文献１を参照）。この特許文献１に記載の技術は、バッテリーセルを支持するケースに、制御回路基板を挿通し、バッテリーセルを支持するリブ状の支持突起を設けて、バッテリーセルと制御回路基板とを離間して配置している。これにより、制御回路基板に加わる衝撃力を緩和させている。
【先行技術文献】
【特許文献】
【０００４】
【特許文献１】特開２００８−２８７９８９号公報
【発明の概要】
【発明が解決しようとする課題】
【０００５】
しかしながら、特許文献１に記載された技術では、外部からの衝撃力に対して制御回路基板のみを保護することはできるが、バッテリーセルの保護については、バッテリー筐体の剛性に委ねられていた。そのため、バッテリー筐体が変形するような大きな衝撃力が入力されると、バッテリーセルに衝撃力が加わり、バッテリーセルが破損するおそれがあった。その結果、バッテリーセルが破損することで、液漏れを起こしたり、バッテリーセルの正極部と負極部が接触してショートするおそれがある、という問題があった。
【０００６】
本発明の目的は、上記の問題点を考慮し、落下等の外部からの衝撃力に対してバッテリー筐体の内部に収納したバッテリーセルを保護することができるバッテリー装置を提供することにある。
【課題を解決するための手段】
【０００７】
上記課題を解決し、本発明の目的を達成するため、本発明のバッテリー装置は、中空のバッテリー筐体と、バッテリー筐体に収納されるバッテリーセルとを備えている。このバッテリーセルは、一端に開口部を有する筒状の負極部と、開口部を閉じるように負極部に固定される正極部と、を有している。更に、本発明のバッテリー装置は、バッテリーセルとバッテリー筐体の内壁との間で、且つバッテリーセルの正極部と負極部とが固定された箇所を避けて配置される突起を備えた。
【発明の効果】
【０００８】
本発明のバッテリー装置によれば、バッテリー筐体とバッテリーセルの間に設けた突起によって、外部からの衝撃力を吸収することができる。その結果、外部からの衝撃力によって、バッテリーセルが液漏れを起こすことがなく、また、バッテリーセルの内外でのショートを起こすことを防止することが可能である。また、上述したバッテリーセルとバッテリー筐体との間に設けられる突起は、バッテリーセルの正極部と負極部とが固定された箇所を避けて配置されている。そのため、バッテリーセル内で、ショートや液漏れを発生しやすい箇所に衝撃力が加わることを防止することができる。
【図面の簡単な説明】
【０００９】
【図１】本発明の第１の実施の形態例に係るバッテリー装置を示す図であり、図１Ａは正面側から見た斜視図、図１Ｂは背面側から見た斜視図である。
【図２】本発明の第１の実施の形態例に係るバッテリー装置の分解斜視図である。
【図３】本発明の第１の実施の形態例に係るバッテリー装置の第１のケースを外した状態を示す斜視図である。
【図４】本発明の第１の実施の形態例に係るバッテリー装置のバッテリーセルの要部を示す断面図である。
【図５】本発明の第１の実施の形態例に係るバッテリー装置の仕切部材とクッション部材を示す分解斜視図である。
【図６】本発明の第１の実施の形態例に係るバッテリー装置の仕切部材を示す斜視図である。
【図７】本発明の第１の実施の形態例に係るバッテリー装置の第１のケースを断面して正面側から見た説明図である。
【図８】図３に示すＭ−Ｍ線断面図である。
【図９】本発明のバッテリー装置を電子機器に装着した状態を示す斜視図である。
【図１０】本発明の第２の実施の形態例に係るバッテリー装置を示す分解斜視図である。
【発明を実施するための形態】
【００１０】
以下、本発明のバッテリー装置の実施の形態例について、図１〜図１０を参照して説明する。なお、各図において共通の部材には、同一の符号を付している。なお、本発明は、以下の形態に限定されるものではない。
また、説明は以下の順序で行う。
１．第１の実施の形態例に係るバッテリー装置
１−１．バッテリー筐体
１−２．バッテリーセル
１−３．仕切部材
１−４．バッテリー装置の組み立て
２．第２の実施の形態例に係るバッテリー装置
【００１１】
１．第１の実施の形態例に係るバッテリー装置
まず、図１〜図９を参照して本発明の第１の実施の形態例（以下、「本例」という。）にかかるバッテリー装置について説明する。
図１は、本例のバッテリー装置を示す斜視図、図２は、本例のバッテリー装置の分解斜視図である。図３は、本例のバッテリー装置の内部を説明する斜視図である。
【００１２】
本例のバッテリー装置１は、撮像装置やパーソナルコンピュータ等の各種電子機器の携帯用の電源装置として用いられるものである。図１〜図３に示すように、バッテリー装置１は、中空の筐体からなるバッテリー筐体２と、出力端子３と、２つの円柱状のバッテリーセル２０と、制御回路基板１６と、仕切部材３０とを備えて構成されている。なお、図３に示すように、２つのバッテリーセル２０、制御回路基板１６及び仕切部材３０は、バッテリー筐体２の内部に収納されている。
【００１３】
＜１−２．バッテリー筐体＞
図１に示すように、バッテリー筐体２は、略直方体状に形成されたブロック状の容器として構成されている。バッテリー筐体２は、長手方向Ｙの寸法がＬ、その長手方向Ｙと直交する幅方向Ｘの寸法がＷ、長手方向Ｙ及び幅方向Ｘと直交する高さ方向Ｚの寸法がＨである。そして、このバッテリー筐体２の寸法（長さＬ、幅Ｗ及び高さＨ）は、長さＬ＞幅Ｗ＞高さＨという関係に設定されている。
【００１４】
しかしながら、バッテリー装置１の形状は、この実施例に限定されるものではない。例えば、高さＨを十分に高くしたり（例えば、幅Ｗ＞高さＨ）、幅Ｗを長さＬよりも長くしたり（長さＬ＜幅Ｗ）、その他各種の寸法を適用することができることは勿論である。
【００１５】
また、バッテリー筐体２は、一面に開口部を有する容器状の第１のケース４と、この第１のケース４の開口部を閉じるように装着される蓋体状の第２のケース５と、から構成されている。
【００１６】
［第１のケース］
第１のケース４は、略長方形をなす上面部４ａと、この上面部４ａの長手方向Ｙの一側から略垂直をなすように連続された正面部４ｂを有している。また、第１のケース４は、上面部４ａの長手方向Ｙの他側から略垂直をなすように連続された背面部４ｃを有している。更に、第１のケース４は、上面部４ａの幅方向Ｘの一側から略垂直をなすように連続された左側面部４ｄと、上面部４ａの幅方向Ｘの他側から略垂直をなすように連続された右側面部４ｅとを有している。
【００１７】
また、上面部４ａと左側面部４ｄが交わる角部及び上面部４ａと右側面部４ｅが交わる角部には、それぞれ曲率半径の大きな円弧状の面取り部４ｆ，４ｆが設けられている。更に、上面部４ａの略中央部には、バッテリー装置１の出力端子３のある面を表示するための指示パネル９が嵌め込まれる凹部４ｇが設けられている（図２参照）。
【００１８】
［第２のケース］
第２のケース５は、略長方形をなす下面部５ａと、この下面部５ａの長手方向Ｙの一側から略垂直をなすように連続された正面部５ｂを有している。また、第２のケース５は、下面部５ａの長手方向Ｙの他側から略垂直をなすように連続された背面部５ｃを有している。更に、第２のケース５は、下面部５ａの幅方向Ｘの一側に設けられた左段差部５ｄと、下面部５ａの幅方向Ｘの他側に設けられた右段差部５ｅとを有している。
【００１９】
背面部５ｃは、下面部５ａに対して所定の段差をもって連続する第１の段差面６ａを有している。また、左段差部５ｄは、下面部５ａに対して所定の段差をもって連続する第２の段差面６ｂを有しており、右段差部５ｅは、下面部５ａに対して所定の段差をもって連続する第３の段差面６ｃを有している。また、第２のケース５の下面部５ａの一面には、ラベル貼付用の貼付凹部５ｆが適当な深さに形成されている。
【００２０】
第１の段差面６ａ、第２の段差面６ｂ及び第３の段差面６ｃは、それぞれ下面部５ａからの高さ方向Ｚの長さが同じ長さに設定されている。また、第２の段差面６ｂ及び第３の段差面６ｃは、幅方向Ｘの長さも略同じ長さに設定されている。そして、第２の段差面６ｂ及び第３の段差面６ｃは、下面部５ａに対して略平行に形成されている。
【００２１】
更に、第２のケース５には、下面部５ａの幅方向Ｘの両側から所定の長さと厚みを持って突出する第１の係合部７と、第２の係合部８が設けられている。この第１の係合部７及び第２の係合部８は、左右対称をなす形状に形成されている。
【００２２】
第１の係合部７は、長手方向Ｙに沿って所定の間隔を開けて形成された３つの係合片７ａ〜７ｃを有している。第１の係合片７ａは、正面部５ｂ側に配置され、第３の係合片７ｃは、背面部５ｃ側に配置されている。そして、第１の係合片７ａと第３の係合片７ｃの間には、第２の係合片７ｂが配置されている。第１の係合部７の３つの係合片７ａ〜７ｃにおける幅方向Ｘの長さは、バッテリー装置１の種類、例えば形状や電力の容量等によって適宜設定されるものである。
【００２３】
同様に、第２の係合部８は、長手方向Ｙに沿って所定の間隔を開けて形成された３つの係合片８ａ〜８ｃを有している。第１の係合片８ａは、正面部５ｂ側に配置され、第３の係合片８ｃは、背面部５ｃ側に配置されている。そして、第１の係合片８ａと第３の係合片８ｃの間には、第２の係合片８ｂが配置されている。更に、第１の係合部７と同様に、第２の係合部８の３つの係合片８ａ〜８ｃにおける幅方向Ｘの長さは、バッテリー装置１の種類によって適宜設定されるものである。
【００２４】
第１の係合部７及び第２の係合部８は、バッテリー装置１が装着される電子機器の装着部に設けられたフック部に係合される。具体的には、第１の係合部７の３つの係合片７ａ〜７ｃ及び第２の係合部８の３つの係合片８ａ〜８ｃのそれぞれの間に、電子機器のフック部のフック片が嵌り込む。そして、電子機器のフック片と第１の係合部７の３つの係合片７ａ〜７ｃ及び第２の係合部８の３つの係合片８ａ〜８ｃとが係合される。
【００２５】
また、図２に示すように、第２のケース５は、下面部５ａ、正面部５ｂ、背面部５ｃ、左段差部５ｄ及び右段差部５ｅによって、仕切部材３０及び制御回路基板１６が搭載される搭載部１０が形成されている。この搭載部１０には、バッテリーセル２０を支持する複数の支持部１１が設けられている。支持部１１は、下面部５ａの幅方向Ｘの両側に設けられており、長手方向Ｙに沿って所定の間隔を開けて形成されている。そして、複数の支持部１１は、バッテリーセル２０と接触する面が円弧状に形成されている。
【００２６】
更に、第２のケース５の正面部５ｂ側には、出力端子３の一部を露出させるための開口部５ｇが設けられている。開口部５ｇは、正面部５ｂから下面部５ａを連続して切り欠いて形成されている。この開口部５ｇは、正面部５ｂの略中央部に設けられている。また、開口部５ｇの幅方向Ｘの一側には、バッテリー装置１の種類を判別するための判別用凹部１３が設けられている。判別用凹部１３は、バッテリー装置１の種類、例えば形状や電力の容量等の種類別に特定の形状に形成されている。
【００２７】
上述したような構成を有する第１のケース４及び第２のケース５の材質としては、例えば、エンジニアリングプラスチック等が挙げられる。
【００２８】
［出力端子］
図２に示すように、出力端子３は、ブロック状に形成されている。出力端子３には、内部に電極が配置された複数（本例では４つ）の電極用スリット１４と、複数の電極用スリット１４の両側に配置された２つの位置決め用スリット１５が設けられている。
【００２９】
電極用スリット１４及び位置決め用スリット１５は、出力端子３の角部において正面部３ａから底面部３ｂにかけて連続する溝状の切り込みとして形成されている。この出力端子３は、その正面部３ａが第２のケース５の正面部５ｂと同一平面となり、底面部３ｂが第２のケース５の下面部５ａの一面と同一平面となるように、第２のケース５の開口部５ｇに装着されている。
【００３０】
出力端子３の２つの位置決め用スリット１５には、バッテリー装置１が装着される電子機器の装着部に設けられた位置決め用突起がそれぞれ係合される。また、４つの電極用スリット１４には、同じく電子機器の装着部に設けられた接続端子の電極がそれぞれ係合される。
【００３１】
これにより、出力端子３は、外部装置である各種の電子機器（例えば、パーソナルコンピュータ、撮像装置等）と着脱可能に接続される。その接続により、バッテリー装置１の電力が、接続された電子機器に供給されると共に、その電子機器との間で所定の情報（例えば、バッテリー容量の残量、その特性等）をデータ通信可能に構成されている。
【００３２】
また、出力端子３における４つの電極用スリット１４の内側には、バッテリー側電極が配置されている。このバッテリー側電極は、制御回路基板１６に電気的に接続されている。制御回路基板１６には、例えばヒューズ、サーミスタ等の温度保護素子、充放電制御ＦＥＴ１、バッテリー装置１の監視と充放電制御ＦＥＴ１の制御を行うＩＣを含む保護回路等がマウントされている。そして、この制御回路基板１６には、薄板状の３つの電極プレート１７，１８，１９が電気的に接続されている。
【００３３】
第１の電極プレート１７及び第２の電極プレート１８は、それぞれ略Ｌ字状で、且つ左右対称に形成されている。この第１の電極プレート１７は、バッテリーセル２０の軸方向の一端面に当接する第１の電極片１７ａと、制御回路基板１６と電気的に接続される第２の電極片１７ｂとを有している。第２の電極プレート１８は、第１の電極プレート１７と同様に、バッテリーセル２０の軸方向の一端面に当接する第１の電極片１８ａと、制御回路基板１６と電気的に接続される第２の電極片１８ｂとを有している。
【００３４】
第３の電極プレート１９は、略Ｙ字状に形成され、バッテリーセル２０を間に挟んで第１の電極プレート１７及び第２の電極プレート１８の反対側に配置されている。この第３の電極プレート１９は、２つのバッテリーセル２０の軸方向の他端面に当接する２つの第１の電極片１９ａ，１９ａと、制御回路基板１６に接続される第２の電極片１９ｂとを有している。第２の電極片１９ｂは、２つの第１の電極片１９ａ，１９ａから略垂直をなすように連続して形成されている。
【００３５】
３つの電極プレート１７，１８，１９は、例えばニッケル（Ｎｉ）、銅合金又は銅にニッケルメッキを施して形成されている。
【００３６】
＜１−２．バッテリーセル＞
次に、図４を参照してバッテリー筐体２に収納されるバッテリーセル２０について説明する。図４は、バッテリーセル２０の要部を断面して示す説明図である。
図４に示すように、バッテリーセル２０は、中空の円柱状をなす電池筐体２１と、この電池筐体２１に収納される電池素子２４を備えて構成されている。
【００３７】
［電池筐体］
電池筐体２１は、一面に開口部２２ａを有する中空の円柱状をなす電池缶２２と、この電池缶２２の開口部２２ａを密閉するように装着される電池蓋２３とで構成されている。また、電池筐体２１は、軸方向の両端面を除く外側の面全てが絶縁性のフィルムにより被覆されている。なお、この実施の例では電池筐体２１の形状を円柱状として説明しているが、電池筐体２１の形状はこれに限定されるものではなく、電池筐体２１の形状を直方体、六角柱、八角柱等の角柱としてもよいことは勿論である。
【００３８】
電池缶２２は、例えばニッケル（Ｎｉ）メッキが施された鉄（Ｆｅ）からなり、一端面が開口された開口部２２ａを有する中空の円柱状をなす筒体として構成されている。電池缶２２の開口部２２ａの反対側に位置する閉鎖部は、電池素子２４の負極と電気的に接続されている。これにより、電池缶２２は、負極部として構成されている。
【００３９】
電池缶２２の開口部２２ａには、略円盤状の電池蓋２３がガスケット２５を介してかしめられることにより取り付けられている。これにより、電池缶２２の開口部２２ａが電池蓋２３によって密閉されている。ガスケット２５は、例えば、絶縁材料により構成されており、表面にはアスファルトが塗布されている。
【００４０】
なお、電池蓋２３の内側には、図示しない安全弁機構及び熱感抵抗素子が設けられている。安全弁機構は、例えば内部短絡或いは外部からの加熱などにより電池の内圧が一定以上となった場合に、電池蓋２３と電池素子２４との電気的接続を切断するようになっている。熱感抵抗素子は、温度が上昇すると抵抗値の増大により電流を制限し、大電流による異常な発熱を防止するものである。
【００４１】
電池蓋２３は、例えば電池缶２２と同様のニッケルメッキが施された鉄（Ｆｅ）からなり、円形をなす蓋体として構成されている。そして、この電池蓋２３は、電池素子２４の正極と電気的に接続されている。これにより、電池蓋２３は、正極部として構成されている。
【００４２】
［電池素子］
電池素子２４は、帯状の正極と帯状の負極とをセパレータを介して積層して、巻回したものである。この電池素子２４の中心には、ステンレス鋼等よりなるセンターピンが挿入されている。電池素子２４の正極にはアルミニウム（Ａｌ）などよりなる正極リードが接続されており、負極にはニッケルなどよりなる負極リードが接続されている。
【００４３】
正極リードは、安全弁機構に溶接されることにより電池蓋２３と電気的に接続されている。そして、負極リードは電池缶２２の閉鎖部に溶接されることにより、電池缶２２と電気的に接続されている。
【００４４】
正極は、正極活物質を含有する正極活物質層と正極集電体とから構成されている。正極活物質層は、正極集電体の両面上に形成されている。また、正極活物質層は、例えば正極活物質と、導電剤と、結着剤とを含有して構成されている。正極集電体は、例えばアルミニウム（Ａｌ）箔、ニッケル（Ｎｉ）箔或いはステンレス（ＳＵＳ）箔などの金属箔により構成されている。
【００４５】
負極は、負極活物質を含有する負極活物質層と負極集電体とから構成されている。負極活物質層は、負極集電体の両面上に形成されている。また、負極活物質層は、例えば負極活物質と、導電剤と、結着剤とを含有して構成されている。負極集電体は、例えば銅（Ｃｕ）箔、ニッケル（Ｎｉ）箔或いはステンレス（ＳＵＳ）箔などの金属箔により構成されている。
【００４６】
また、セパレータは、例えばポリプロピレン（ＰＰ）或いはポリエチレン（ＰＥ）などのポリオレフィン系の材料によりなる多孔質膜、あるいはセラミック製の不織布などの無機材料よりなる多孔質膜により構成されている。このセパレータは、これら２種以上の多孔質膜を積層した構造としてもよい。特に、セパレータは、ポリエチレン、ポリプロピレンの多孔質フィルムで構成されるのが好ましい。
【００４７】
また、本例では、電池素子２４の負極を電池缶２２に接続し、正極を電池蓋２３に接続した例を説明したが、これに限定されるものではない。例えば、電池素子２４の負極を電池蓋２３に接続して電池蓋２３を負極部とし、正極を電池缶２２に接続して電池缶２２を正極部としてもよい。更に、電池蓋２３を電池缶２２にかしめて固定した例を説明したが、これに限定されるものではなく、例えば、ガスケット２５を介して電池蓋２３を溶接や圧着等のその他の固定方法によって電池缶２２に固定してもよい。
【００４８】
図３に示すように、上述したような構成を有する２つのバッテリーセル２０は、その軸を長手方向Ｙと略平行に揃えると共に軸と直行する幅方向Ｘに沿って並べた状態で、バッテリー筐体２内に収納されている。なお、２つのバッテリーセル２０の間は、仕切部材３０によって仕切られている。
【００４９】
＜１−２．仕切部材＞
次に、図５〜図８を参照して本例の仕切部材３０について説明する。
図５及び図６は、本例の仕切部材３０を示す斜視図である。図７及び図８は、本例のバッテリー装置１の要部を断面して示す説明図である。
【００５０】
図５に示すように、仕切部材３０は、略Ｈ字状に形成されており、長手方向Ｙの長さがバッテリーセル２０と略等しくなるように設定されている。仕切部材３０は、仕切部３１と、外部からの衝撃力を緩衝させる緩衝部３２と、脚部３３とを有している。
【００５１】
図７に示すように、仕切部３１は、２つのバッテリーセル２０を保持すると共にバッテリー筐体２の内部空間をバッテリーセル２０ごとに仕切っている。図５に戻り、仕切部３１は、２つの仕切面３１ａ，３１ａを有している。この２つの仕切面３１ａ，３１ａは、略円弧状に形成されており、幅方向Ｘの両側が開口している。図６に示すように、２つの仕切面３１ａ，３１ａの直径は、バッテリーセル２０の直径と略等しくなるように設定されている。そして、この仕切面３１ａ，３１ａにバッテリーセル２０を保持させることで、２つのバッテリーセル２０のバッテリー筐体２内での動きを抑えることができる。また、仕切部３１の高さ方向Ｚの一側には、４つの緩衝部３２が仕切面３１ａ，３１ａに連続して設けられている。
【００５２】
なお、仕切部３１の仕切面３１ａの形状は、円弧状に限定されるものではなく、バッテリーセル２０の形状に応じて適宜設定されるものである。例えば、バッテリーセル２０が六角柱状に形成されている場合、仕切面３１ａの形状は、バッテリーセル２０の形状に対応した六角形状に形成される。
【００５３】
４つの緩衝部３２は、それぞれ略平板状に形成されており、バッテリーセル２０の側面に面接触する接触面３２ａと、この接触面３２ａと反対側の面である載置面３２ｂを有している。緩衝部３２の載置面３２ｂには、複数の突起３４が設けられている。複数の突起３４は、緩衝部３２の載置面３２ｂから高さ方向Ｚの一側に向けて突出している。そして、４つの緩衝部３２のうち長手方向Ｙに沿って所定の間隔を開けて配設された２つの緩衝部３２，３２が連結部３７で連結されている。
【００５４】
また、図８に示すように、この複数の突起３４は、バッテリーセル２０の電池蓋２３と電池缶２２がかしめられている箇所Ｐ、すなわち正極部と負極部が近接する箇所を避けて配置されている。このように、本例では、バッテリーセル２０における最もショートし易い箇所に外部からの衝撃力が入力されることを避けている。その結果、外部からの衝撃力によってバッテリーセル２０がショートすることを効果的に防止することができる。
【００５５】
また、緩衝部３２の載置面３２ｂには、弾性を有するクッション部材３６が設置されている。クッション部材３６は、円弧状の切り欠きを有する略平板状に形成されている。クッション部材３６には、緩衝部３２の載置面３２ｂに設けた複数の突起３４と対応する位置に貫通孔３６ａが設けられている。このクッション部材３６は、貫通孔３６ａに突起３４を挿通させて緩衝部３２の載置面３２ｂに載置されている。なお、このクッション部材３６の厚みは、突起３４の高さよりも若干小さくなるように設定されている。そして、クッション部材３６は、載置面３２ｂに接着剤を用いて一体に固定されている（図６参照）。
【００５６】
ここで、仕切部３１は、バッテリーセル２０の動きを抑えるためにバッテリーセル２０の形状に対応した形状に形成されている。そのため、仕切部３１における２つの仕切面３１ａ，３１ａの間に凹みが形成される。そこで、本例では、仕切部３１における２つの仕切面３１ａ，３１ａの間に緩衝部３２の載置面３２ｂと略同一の高さに突出した複数の凸部３１ｂを設けている。これにより、クッション部材３６を安定して取り付けることができる。
【００５７】
クッション部材３６の材料としては、例えば、ゴムスポンジ、ポリウレタンフォームやポリエチレンフォーム等の各種弾性を有する材料を挙げることができる。
【００５８】
図７及び図８に示すように、緩衝部３２及びクッション部材３６は、バッテリーセル２０及び仕切部材３０をバッテリー筐体２内に収納した際に、バッテリーセル２０と第１のケース４の上面部４ａとの間に配置される。この時、緩衝部３２の載置面３２ｂに設けた複数の突起３４は、第１のケース４の上面部４ａの内壁に当接する。これにより、バッテリーセル２０と第１のケース４の上面部４ａとの間に空間が形成されている。その結果、バッテリー筐体２からの衝撃力がバッテリーセル２０に直接伝達されることを防止することができる。
【００５９】
更に、バッテリー装置１にバッテリー筐体２が変形するような強い衝撃力が加わった際には、この複数の突起３４が潰れることで、バッテリーセル２０に加わる衝撃力を軽減することができる。その結果、バッテリーセル２０が破損して、液漏れやショートすることを防ぐことができる。更に、緩衝部３２とバッテリーセル２０は、接触面３２ａで面接触している。その結果、緩衝部３２からバッテリーセル２０に伝達される衝撃力を拡散させることでき、バッテリーセル２０に加わる負荷を軽減することができる。
【００６０】
更に、緩衝部３２とバッテリー筐体２の間には、弾性を有するクッション部材３６を配設している。そのため、クッション部材３６が弾性変形することによって外部からの衝撃力を吸収することできる。その結果、より安全にバッテリーセル２０を保護することを可能としている。
【００６１】
また、図５及び図６に戻り、仕切部３１の高さ方向Ｚの他側からは、脚部３３が連続して設けられている。脚部３３は、仕切面３１ａから高さ方向Ｚの他側に向けて突出している。そして、この脚部３３を第２のケース５の搭載部１０に載置することで、仕切部材３０が第２のケース５の搭載部１０に搭載される。なお、脚部３３と第２のケース５の搭載部１０との間には、制御回路基板１６が配設される。
【００６２】
更に、仕切部材３０には、仕切部３１から脚部３３にかけて連続して切り欠かれた切り欠き部３８が設けられている。図３及び図７に示すように、この切り欠き部３８によって、仕切部材３０を第２のケース５の搭載部１０に搭載した際に、仕切部材３０が出力端子３に当接することを防止している。
【００６３】
本例では、仕切部材３０として仕切部３１と緩衝部３２を一体に形成した例を説明したが、これに限定されるものではない。例えば、仕切部３１と緩衝部３２をそれぞれ別部材として形成してもよい。
【００６４】
上述したような構成を有するバッテリー装置１は、図９に示すように、電子機器の一具体例として適用した撮像装置１００の背面に配置された装着部１０１に着脱可能に装着される。そのため、撮像装置１００をその正面や側面から地面に落とした場合、撮像装置１００によって衝撃力が緩和されるため、バッテリー装置１には、余り大きな衝撃力が加わることがない。しかしながら、撮像装置１００を背面から地面に落とした場合、バッテリー装置１には、第１のケース４の上面部４ａや面取り部４ｆに大きな衝撃力が加わる。そこで、本例では、緩衝部３２を、バッテリーセル２０と第１のケース４の上面部４ａの間に配置して、バッテリーセル２０を効率的に保護している。
【００６５】
＜１−３．バッテリー装置の組み立て＞
次に上述した構成を有するバッテリー装置１の組み立て方法について説明する。
まず、図５に示すように、クッション部材３６を、仕切部材３０における緩衝部３２の載置面３２ｂに接着剤を用いた固定方法等によって固定する。このとき、クッション部材３６に設けた貫通孔３６ａに突起３４を貫通させることで、クッション部材３６の位置決めを行うことができる。
【００６６】
次に、図６に示すように、２つのバッテリーセル２０を仕切部材３０の仕切部３１に配置する。そして、２つのバッテリーセル２０の両端面に、３つの電極プレート１７，１８，１９を例えば溶接等の固定方法によって固定する。具体的には、第１の電極プレート１７の第１の電極片１７ａと第２の電極プレート１８の第１の電極片１８ａをバッテリーセル２０の一端面に固定する。更に、第３の電極プレート１９の２つの第１の電極片１９ａ，１９ａを２つのバッテリーセル２０の他端面に固定する。
【００６７】
次の、３つの電極プレート１７，１８，１９を制御回路基板１６に電気的に接続する。このとき、制御回路基板１６は、仕切部材３０の脚部３３の下方に配設される。更に、制御回路基板１６と、出力端子３に設けた図示しないバッテリー側電極を電気的に接続する。これにより、出力端子３、制御回路基板１６及び２つのバッテリーセル２０が電気的に接続することができる。
【００６８】
次に、２つのバッテリーセル２０を保持した仕切部材３０を、第２のケース５の搭載部１０に搭載する。この時、出力端子３は、第２のケース５に設けた開口部５ｇに嵌め込まれる。また、制御回路基板１６は、仕切部材３０の脚部３３と第２のケース５の搭載部１０の間に配設される。
【００６９】
そして、図３に示すように、２つのバッテリーセル２０を保持した仕切部材３０を第１のケース４の開口部に挿入し、且つ第２のケース５で第１のケース４の開口部を閉じるように重ね合わせる。この第１のケース４と第２のケース５の重ね合わせた部分を接合する。この接合方法としては、例えば、超音波溶着や、接着剤を用いて接合方法が挙げられる。また、熱溶着等のその他の接合方法を用いることができる。
【００７０】
これにより、バッテリー装置１の組み立てが完了する。バッテリー装置１の組立方法は、上述したものに限定されるものではなく、その他の方法で組み立ててもよい。例えば、バッテリーセル２０に３つの電極プレート１７，１８，１９を固定してから、バッテリーセル２０を仕切部材３０に配置してもよい。
【００７１】
なお、接合する際に、図７及び図８に示すように、突起３４の先端が第１のケース４の上面部４ａの内壁に若干潰れながら当接する。これにより、仕切部材３０における高さ方向Ｚの寸法誤差を突起３４で調整することができ、仕切部材３０及びバッテリーセル２０をガタツキなくバッテリー筐体２に収納することが可能である。
【００７２】
また、突起３４は、クッション部材３６の厚みよりも若干高く設定している。そのため、クッション部材３６が仕切部材３０とバッテリー筐体２の間で潰れることなく、クッション部材３６及び仕切部材３０をバッテリー筐体２に収納することができる。
【００７３】
更に、仕切部３１と緩衝部３２を一体構造とすることで、部品点数を抑えることができる。また、仕切部材３０がバッテリーセル２０を覆う面を増やすことができ、バッテリー装置１の組立時にバッテリーセル２０の動きを抑えることができる。その結果、本例では、バッテリー装置１のコストと組み立ての作業性を同時に向上させることを可能としている。
【００７４】
２．第２の実施の形態例
次に、図１０を参照して第２の実施の形態例に係るバッテリー装置４０について説明する。
図１０は、第２の実施の形態例に係るバッテリー装置４０の分解斜視図である。
【００７５】
図１０に示すように、第２の実施の形態例に係るバッテリー装置４０は、バッテリーセル２０を４つ設けたものである。そして、この第２の実施の形態例に係るバッテリー装置４０の構成は、第１のケース、仕切部及び電極プレートの形状が異なることを除き、第１の実施の形態例に係るバッテリー装置１と同じである。そのため、ここでは第２のケース、仕切部材及び電極プレートについて重点的に説明し、第１の実施の形態例に係るバッテリー装置１と共通する部分には同一の符号を付して重複した説明を省略する。
【００７６】
第１の実施の形態例と同様に、２つのバッテリーセル２０を、その軸を長手方向Ｙと略平行に揃えると共に幅方向Ｘに沿って並べられている。そして、４つのバッテリーセル２０は、２つのバッテリーセル２０を幅方向Ｘに沿って並べた２組のバッテリーセル２０を高さ方向Ｚに積み上げるようにして配置されている。なお、４つのバッテリーセル２０における幅方向Ｘ及び高さ方向Ｚの間は、仕切部材５０によって仕切られている。
【００７７】
仕切部材５０は、仕切部５１と、外部からの衝撃力を緩衝させる緩衝部５２と、脚部５３とを有している。なお、緩衝部５２及び脚部５３は第１の実施の形態例に係る緩衝部３２及び脚部３３と同一の構成を有しているため、その説明は、省略し、仕切部５１についてのみ説明する。
【００７８】
仕切部５１は、略十字状に形成されており、４つの仕切面５１ａを有している。この４つの仕切面５１ａは、略円弧状に形成されており、その直径がバッテリーセル２０の直径と略等しくなるように設定されている。そして、この仕切面５１ａに４つのバッテリーセル２０を保持させることで、４つのバッテリーセル２０のバッテリー筐体４２内での動きを抑えることができる。
【００７９】
バッテリー筐体４２は、第１のケース４４と、第１の実施の形態例に係る第２のケース５と同一の構成を有する第２のケース４５とから構成されている。第１のケース４４は、一面に開口部を有する容器状に形成されており、その寸法が、長さＬ１＞高さＨ１＞幅Ｗ１という関係に設定されている。
【００８０】
また、４つのバッテリーセル２０には、３つの電極プレート４７，４８，４９が電気的に接続されている。第１の電極プレート４７及び第２の電極プレート４８は、それぞれ略Ｌ字状で、且つ左右対称に形成されている。第１の電極プレート４７は、高さ方向Ｚに並べられた２つのバッテリーセル２０の一端面に当接する第１の電極片４７ａと、制御回路基板１６と電気的に接続される第２の電極片４７ｂとを有している。第２の電極プレート４８も同様に、高さ方向Ｚに並べられた２つのバッテリーセル２０の一端面に当接する第１の電極片４８ａと、制御回路基板１６と電気的に接続される第２の電極片４８ｂとを有している。
【００８１】
第３の電極プレート４９は、略Ｙ字状に形成されている。この第３の電極プレート４９は、２つの第１の電極片４９ａ，４９ａと、この２つの第１の電極片４９ａ，４９ａから略垂直をなして連続する第２の電極片４９ｂとを有している。２つの第１の電極片４９ａ，４９ａは、それぞれ高さ方向Ｚに並べられた２つのバッテリーセル２０他端面に当接する。
【００８２】
その他の構成は、上述した第１の実施の形態例にかかるバッテリー装置１と同様であるため、それらの説明は省略する。このような構成を有するバッテリー装置４０によっても、上述した第１の実施の形態例にかかるバッテリー装置１と同様の作用及び効果を得ることができる。
【００８３】
なお、本発明は上述しかつ図面に示した実施の形態に限定されるものではなく、特許請求の範囲に記載した発明の要旨を逸脱しない範囲内で種々の変形実施が可能である。例えば、上述した実施例においては、バッテリー装置が装着される電子機器として撮像装置を適用した例について説明したが、これに限定されるものではない。本発明のバッテリー装置は、例えば、電子スチルカメラ、パーソナルコンピュータ、電子辞書、ＤＶＤプレーヤ、カーナビゲーションその他各種の電子機器に装着できるものである。
【００８４】
また、バッテリー装置には、左右合わせて６つの係合片を設けた例について説明したが、係合片の数は、これらに限定されるものではなく、５つ以下又は７つ以上設けてもよい。なお、バランスよくバッテリー装置を電子機器に装着させるために、係合片の数は、左右対称にすることが好ましい。更に、バッテリー装置を構成するバッテリーセルの数は、２つ、４つに限定されるものではなく、例えば、バッテリーセルを１つ、３つ又は５つ以上設けてもよい。
【００８５】
また、緩衝部として作用する突起は、バッテリー筐体の内壁に設けてもよい。また、上述した実施例においては、クッション部材を緩衝部に取り付けた例を説明したが、バッテリー筐体の内部に取り付けてもよい。
【符号の説明】
【００８６】
１，４０…バッテリー装置、  ２，４２…バッテリー筐体、  ３…出力端子、  ４，４４…第１のケース、  ４ａ…上面部、  ５，４５…第２のケース、  ７…第１の係合部、  ８…第２の係合部、  １０…搭載部、  １６…制御回路基板、  ２０…バッテリーセル、  ２１…電池筐体、  ２２…電池缶（負極部）、  ２３…電池蓋（正極部）、  ２４…電池素子、  ２５…ガスケット、  ３０，５０…仕切部材、  ３１，５１…仕切部、  ３１ａ…仕切面、  ３１ｂ…凸部、  ３２，５２…緩衝部、  ３２ａ…接触面、  ３２ｂ…載置面、  ３３，５３…脚部、  ３４…突起、  ３６…クッション部材、  ３６ａ…貫通孔、  １００…撮像装置（電子機器）、  １０１…装着部
【図１】
2010238649.tif 000003
【図２】
2010238649.tif 000004
【図３】
2010238649.tif 000005
【図４】
2010238649.tif 000006
【図５】
2010238649.tif 000007
【図６】
2010238649.tif 000008
【図７】
2010238649.tif 000009
【図８】
2010238649.tif 000010
【図９】
2010238649.tif 000011
【図１０】
2010238649.tif 000012